Podtech/llm-jp-corpus-v4-ja_patent huggingface dataset:
(57)【要約】【課題】従来のレジでは、購入品の品名等を家計簿機能搭載パソコンにいちいち転記していたので、家計簿作成が大変面倒である不具合の解消等。【解決手段】スーパー等販売店のレジに家計簿と連携する機能を持つ装置を搭載することにより、この課題を解決する。【選択図】図１
0003136327.tif 000002
【実用新案登録請求の範囲】
【請求項１】
スーパー等の販売店のレジと家庭パソコンの家計簿とを連携し、レジで済まされた買い物内容が自動的又はカードを経由して家計簿に記載される装置を搭載したレジ。
【考案の詳細な説明】
【技術分野】
【０００１】  本考案は、レジで清算された買い物の内容を家庭パソコンの家計簿に自動的乃至はカードを介して記載する装置を搭載したレジに関する。
【背景技術】
【０００２】  従来のレジでは、家計簿とは連携がないため、レジのレシートを見ながら、家計簿に転記していた。（図２）
【考案の開示】
【考案が解決しようとする課題】
【０００３】  これでは買い物の内容を思い出しにくく、転記にも時間がかかり、家計簿をつけたくとも断念せざるを得ないケースが多かった。
【課題を解決するための手段】
【０００４】  そこで、スーパー等の販売店のレジで購入された買い物内容を自動的に又はカードを経由して家計簿に記載する装置を搭載したレジを考案した。（図１）。
【考案の効果】
【０００５】  よって、この機能により、家計簿に買い物内容を転記することがなくなるため、家計簿の作成が大変楽になり、またその小売店側にとっても消費者の購買志向向上による売り上げ増加が期待される。
【考案を実施するための最良の形態】
【０００６】  本考案に係る機能を持つ装置を搭載したレジ１０は、図１に示すように、レジで清算する際、カードを経由するか又は予め登録された家庭パソコンの家計簿に買い物内容が記載される。
【図面の簡単な説明】
【０００７】
【図１】  本考案に係る機能を持つ装置を搭載した販売店レジと家庭パソコンの家計簿とをカードを使用して連携した図である。
【図２】  従来の家計簿である。
【符号の説明】
【０００８】    １    家計簿ソフト入りの家庭パソコン
２    スーパー等販売店の従来型レジ
３    カード
１０    家計簿連携装置搭載レジ
【図１】
0003136327.tif 000003
【図２】
0003136327.tif 000004
(57)【要約】      （修正有）【課題】折り畳み傘の傘袋の用途に、傘の持ち手部分の雨濡れを防ぐ用途を付加したカバーを実現する。【解決手段】折り畳み傘の傘袋の開口部（傘を出し入れする口）から傘袋の袋下部分にかけてファスナーを付けて平面状に開閉可能にする。傘袋の内側部分の一端に結合器具を取り付け、同じく結合器具を有する紐状のものを傘袋の内側部分の一端に取り付けることにより、傘袋の内側部分に取り付けられた結合器具と紐状のものの結合器具が結合可能となり、平面状に開かれた傘袋がカバーとして腕から手の甲への装着が可能になる。【選択図】図５
0003136373.tif 000002
【実用新案登録請求の範囲】
【請求項１】
折り畳み傘の傘袋を袋状のものから開いて平面状のものにし、平面状にした形態のまま手の甲に装着し、傘の持ち手部分が雨に濡れることを防ぐことを特徴とする折り畳み傘の持ち手雨濡れ防止カバー兼傘袋。
【考案の詳細な説明】
【技術分野】
【０００１】
本考案は、折り畳み傘の傘袋に傘袋以外の用途を可能にした傘袋に関するものである。
【背景技術】
【０００２】
折り畳み傘の傘袋は従来、未使用時の折り畳んだ傘の形を整え、傘布を保護して収納することにおいて実用に共されている。
実用の折り畳み傘の傘袋は、持ち運び便利な折り畳み傘をカバンなどに入れて持ち歩く際に傘袋に収納し、必要に応じて傘袋から取り出し、傘袋はカバンの中に入れておく、という傘袋本来の用途のみで実用上十分であった。
【０００３】
しかし、折り畳み傘自体には、折り畳んでコンパクトに出来る反面、傘として使用する際、傘布の面積が狭い為、傘の持ち手部分や体の一部が濡れやすいという欠点があった。
【０００４】
傘が本来持つ、雨に濡れることから身を守るという用途において、この欠点は利便性に関して大きな障害である。この欠点を補う実用の傘袋の従来の技術として、肩が濡れることを防ぐ用途をそなえた登録実用新案第３０８４３１７号では、折り畳み傘の傘袋を利用して、雨濡れ防止肩掛けカバーとしての用途をもたせているが、折り畳み傘の持ち手部分が濡れる頻度の高い人への雨濡れ防止にはならない。
【０００５】
この改善策として、折り畳み傘と一対をなす傘袋を利用して、傘の持ち手部分が濡れることを防止する方法がある。図５と図６は、この方法による傘の持ち手部分が濡れることを防止する傘袋の実装形態を示すための説明図である。
【特許文献１】登録実用新案第３０８４３１７号公報
【考案の開示】
【考案が解決しようとする課題】
【０００６】
解決しようとする問題点は、折り畳み傘だけでは雨濡れ防止できない傘の持ち手部分を、折り畳み傘袋の袋部分を利用して、雨濡れ防止を可能とする点である。
【課題を解決するための手段】
【０００７】
本考案は、折り畳み傘を使用する時に不用となる傘袋を平面状に広げ、腕から手の甲にかかる面積を有する平面状にした傘袋を、紐状のものと結合器具により、腕に回して密着可能にしたことを最も主要な特徴とする。
【考案の効果】
【０００８】
本考案の折り畳み傘の傘袋を利用した傘の持ち手部分の雨濡れ防止カバー兼傘袋は、傘使用時に不用となる傘袋に、傘だけでは補えない部分の雨濡れ防止用途を付加したという利点がある。
【考案を実施するための最良の形態】
【０００９】
折り畳み傘を傘袋に入れた状態のままの傘袋の大きさで、傘袋が左右対称に平面的に簡単に開くことを可能とし、開かれた傘袋の内側には腕に装着することを可能にする紐状のものと結合器具が付いていることにより、傘の持ち手部分の雨濡れ防止という目的を、簡単な素材で実現した。
【実施例１】
【００１０】
図５は、本考案の折り畳み傘の持ち手部分の雨濡れ防止カバー兼傘袋のファスナー２を開き、腕８から手の甲７にかけて傘袋の外側６を外側にして装着した実施例の正面図であって、図６は、腕８から手の平１１にかけて装着した状態の正面図である。２はファスナー、３は長い紐状のもの、４は短い紐状のもの、５はファスナーの引き手、６は傘袋の外側、７は手の甲、８は腕、１１は手の平である。
【００１１】
図６のように長い紐状のもの３と短い紐状のもの４に付いている結合器具１０と、傘袋に付いている結合器具を結合させることにより、傘袋を腕に密着固定させた。
【実施例２】
【００１２】
図１と図２は、折り畳み傘の持ち手部分の雨濡れ防止カバー兼傘袋を傘袋として傘９を入れた状態のぞぞれ正面図である。
【００１３】
このように折り畳み傘の傘袋に本来の傘袋としての用途と、傘の持ち手部分の雨濡れ防止という、折り畳み傘の傘布面積が限られることによる不都合を補う用途という、二つの用途を併せ持つ事を可能にした。
【００１４】
図５や図６の実施例のように、傘袋から傘の持ち手部分の雨濡れ防止カバーとして使用するには、ファスナーエレメント２を開き、腕８に被せ、紐状のもの３、４と傘袋に付いている結合器具１０を結合させれば良く、装着が極めて簡単可能な事から、利用対象の拡大におおいに役立つ。
【産業上の利用可能性】
【００１５】
傘袋の素材を保温効果があるものなどにすれば冬などの手がかじかむ時期での利用、紫外線を通さない素材の物などにすれば紫外線の多い時期での折り畳み日傘の傘袋としての利用などの利用対象が多く考えられる。
【図面の簡単な説明】
【００１６】
【図１】折り畳み傘を傘の持ち手部分の雨濡れ防止カバー兼傘袋に入れた状態の正面図である。（実施例２）
【図２】折り畳み傘を傘の持ち手部分の雨濡れ防止カバー兼傘袋に入れた状態の傘袋を、平面状に開くファスナー部分側から見た正面図である。（実施例２）
【図３】折り畳み傘の持ち手部分の雨濡れ防止カバー兼傘袋を平面状に開き、傘袋の外側部分から見た正面図である。
【図４】折り畳み傘の持ち手部分の雨濡れ防止カバー兼傘袋を平面状に開き、傘袋の内側部分から見た正面図である。
【図５】折り畳み傘の持ち手部分の雨濡れ防止カバー兼傘袋を、カバーとして腕から手の甲にかけて装着した正面図ある。（実施例１）
【図６】折り畳み傘の持ち手部分の雨濡れ防止カバー兼傘袋を、カバーとして腕から手の甲にかけて装着し、手の平側からみた正面図である。（実施例１）
【符号の説明】
【００１７】
１    折り畳み傘の持ち手部分の雨濡れ防止カバー兼傘袋の内側部分
２    ファスナー
３    長い紐状のもの
４    短い紐状のもの
５    ファスナーの引き手
６    折り畳み傘の持ち手部分の雨濡れ防止カバー兼傘袋の外側部分
７    手の甲
８    腕
９    傘
１０    結合器具
１１    手の平
【図１】
0003136373.tif 000003
【図２】
0003136373.tif 000004
【図３】
0003136373.tif 000005
【図４】
0003136373.tif 000006
【図５】
0003136373.tif 000007
【図６】
0003136373.tif 000008
(57)【要約】      （修正有）【課題】警報装置付き室内酸素検出装置の提供。【解決手段】室内酸素検出装置は、電源回路と、酸素検出器と、警報システムと、コントローラーと、からなる。酸素検出器は室内に設置され、室内の酸素濃度値を感知し、酸素濃度値をコントローラーにフィードバックし、コントローラーにより室内酸素濃度値の制限値、及び、酸素濃度値の単位時間変化率に基づいて、室内酸素濃度値が２０．５％以下の不正常時を判定し、警報システムにより告知し、室内の人員が即時に撤退して、安全を確保する。【選択図】図１
0003136362.tif 000002
【実用新案登録請求の範囲】
【請求項１】
室内酸素検出装置は、
室内の酸素検出器の作業電圧を提供する電源回路と、
室内に設置され、室内の酸素濃度値を感知する酸素検出器と、
ブザー、或いは、LEDランプ等警告信号を発する警報システムと、
それぞれ、前記電源回路、前記酸素検出器、及び、前記警報システムと連接され、酸素濃度の制限値を有し、室内の酸素濃度値を感知し、前記室内酸素濃度値が制限値以下の時、前記警報システムを駆動させるコントローラーと、
からなることを特徴とする室内酸素検出装置。
【請求項２】
前記コントローラー内から、酸素濃度値の制限値と酸素濃度値の単位時間変化率を得て、前記酸素検出器が感知する室内酸素濃度値を演算することを特徴とする請求項１に記載の室内酸素検出装置。
【請求項３】
前記コントローラーの制限値は酸素濃度値２０．５％であることを特徴とする請求項１、或いは、２に記載の室内酸素検出装置。
【考案の詳細な説明】
【技術分野】
【０００１】
本考案は室内酸素検出装置に関するものであって、特に、室内の酸素濃度値を検出し、安全警告を達成する技術に関するものである。
【背景技術】
【０００２】
２００５年に台湾の台南市で発生した女子宿舎で５人が死亡する一酸化炭素中毒事件、２００４年に彰化市で発生した漬物槽の死者6人、意識不明１名の事故、及び、地下トンネルの通気不良による多くの工事現場での事故などから分かるように、多くの限られた室内空間には、酸欠等の危険が潜んでいる。
【０００３】
酸素は人類が生命を維持する重要な要素の一つであり、空気の組成は、主に、窒素７８．０９％、酸素２０．９５％、アルゴン0.93%、二酸化炭素0.03%、及び、その他の微量の気体からなり、酸素含有量が過多でも不足でも身体に悪影響を及ぼす。行政院労働者委員会が規定する酸欠防止規則によると、空気中の酸素含有量が１８％未満は酸欠であるとし、雇い主は、雇用者に酸欠の危険作業に従事させる時、適時に換気を実行して、作業場所の空気中の酸素濃度を１８％以上に保つように指示している。しかし、国外の専門家は、限られた室内空間の酸素濃度が２０．５％以下の時、即時に作業者を撤退させるべきであると考え、酸素濃度が法令で規定される１８％になった時に作業者を撤退させるのでは、遅すぎると考える。限られた室内空間では、作業、燃焼や漏出により空気中に有害物が生成され、構造の亀裂や床板の汚れが有害物を放出するかもしれないからである。酸素濃度が２０．５％に達しても、空気中の有害物濃度が高すぎて、意識不明になることもあり、一般に、空気中の酸素濃度は安定して２０．５％を維持し、且つ、空気中の有害物濃度の加権数値が法定許容上限の十分の一(多種の有害物が同時に存在する時、法令により各種空気中の有害物濃度の加権計算する)に低下してから、労働者を進入させる。労働者が限られた室内空間に進入した後、空間の有害物濃度と酸素濃度を継続して監視し、一旦、酸素濃度が２０．５％以下になるか、或いは、有害物濃度の加権数値が法定許容上限の十分の一を超過した場合、迷わずに撤退命令を下す。
【考案の開示】
【考案が解決しようとする課題】
【０００４】
上述の問題を解決するため、本考案の目的は、室内酸素検出装置を提供することにある。
【課題を解決するための手段】
【０００５】
本考案の室内酸素濃度検出装置は、主に、室内に酸素検出器を設置し、室内の酸素濃度値を感知し、酸素濃度値をコントローラーにフィードバックし、コントローラーにより室内酸素濃度値が２０．５％以下の不正常時を判定し、警報システムにより告知し、室内の人員が即時に撤退して、危険を回避し、安全を確保する。      
【考案の効果】
【０００６】
本考案の構造は簡潔であるが、室内空間の酸素濃度が一旦２０．５％以下になると、警報システムにより警告し、室内の人員は直ぐに撤退し、彼らの安全を確保することができる。  
【考案を実施するための最良の形態】
【０００７】
図１で示されるように、本考案の室内酸素検出装置は、電源回路１０と、酸素検出器２０と、警報システム３０と、コントローラー４０と、からなる。
【０００８】
電源回路１０は、室内の酸素検出器の作業電圧を提供する。
【０００９】
酸素検出器２０は、室内に設置され、室内の酸素濃度値を感知する。
【００１０】
警報システム３０は、ブザー、或いは、LEDランプ等警告信号を発する。
【００１１】
コントローラー４０は、それぞれ、電源回路１０、酸素検出器２０、及び、警報システム３０と連接され、酸素濃度の制限値、及び、酸素濃度値の単位時間変化率により、酸素検出器２０が、室内の酸素濃度値が制限値２０．５％以下の不正常時を検出し、警報システム３０を駆動させ、これにより、室内空間の酸素濃度が２０．５％以下のとき、前記警報システム３０により警告し、室内の人員を直ぐに撤退させ、危険から守り、安全を確保する。
【００１２】
本考案の構造は簡潔であるが、室内空間の酸素濃度が一旦２０．５％以下になると、警報システムにより警告し、室内の人員は直ぐに撤退し、彼らの安全を確保することができる。
【図面の簡単な説明】
【００１３】
【図１】本考案の回路図である。
【符号の説明】
【００１４】
１０  電源回路
２０  酸素検出器
３０  警報システム
４０  コントローラー
【図１】
0003136362.tif 000003
(57)【要約】      （修正有）【課題】容易に正確に高さの微調整ができる。  【解決手段】被支持体(たとえば天秤ＢＳ)に螺合するネジ部２と、このネジ部２と一体のコマ部１と、ネジ部２と反対側のコマ部１に一体的に形成された設置面(脚体)４とからなる支持脚Ｓにおいて、コマ部１にテーパ部１Ｔを形成するとともに、このテーパ部１Ｔの全周に凹凸部Ｇを形成したものである。したがってテーパ部１Ｔの形成により指先のコマ部１への接触面積が大きくなりストレスを生じることもなく正確にコマ部１を微調整回転させることができる。【選択図】図１
0003136361.tif 000002
【実用新案登録請求の範囲】
【請求項１】
被支持体に螺合するネジ部と、このネジ部と一体のコマ部と、前記コマ部のネジ側と反対側に設置面を有する支持脚において、前記コマ部にテーパ部を形成するとともに、このテーパ部の全周に凹凸を形成したことを特徴とする支持脚。
【請求項２】
凹凸が歯形で構成されたことを特徴とする請求項１記載の支持脚。
【請求項３】
被支持体が天秤であることを特徴とする請求項１記載の天秤用の支持脚。
【考案の詳細な説明】
【技術分野】
【０００１】
本考案は、計量機器、分析機器など器械の本体、ケースなどを床面、基盤面などに支持するための支持脚に関するものである。たとえば計量機器の代表である天秤等では、図５に示すように、天秤ＢＳのケースの底部に３個ないし４個の支持脚Ｓが設置される。
【背景技術】
【０００２】
この種の支持脚の少なくとも１個は天秤ＢＳの水平度を維持すべく機器の底部に形成されたネジ孔に螺合されている（特許文献１参照）。そして、その支持脚Ｓのネジ部２（図４参照）の回転によって支持脚Ｓをネジ孔から突没させ高さを調整する。天秤ＢＳにおいては、特に機器の水平維持が重要な条件であり、この高さ調整用の支持脚Ｓが設けられている。
【０００３】
この種の支持脚の構造は図４に示すとおりで、主体をなすコマ部１の外周には一定の間隔で突起部３が形成され、指先で引っ掛けて回転を可能にしている。２は天秤等へ螺合するネジ部２であり、４はコマ部１に対してネジ部２と反対側に一体的に形成された設置面(脚体)を示している。コマ部１は支持脚Ｓの高さを低くすることから厚さは薄くされている。
【特許文献１】特開平９−１８７３３１号公報
【考案の開示】
【考案が解決しようとする課題】
【０００４】
従来における支持脚はそのコマ部１の厚さ（高さ）が小さく、具体的に天秤ＢＳの支持脚として取り付けた場合、図５に示すとおり天秤ＢＳの機台と床面（支持面）との間隔が小さいので指で支持脚Ｓを回転させ機器を上下動させる操作が困難である。特にコマ部１の厚さ（幅）が小さいので指先のコマ部１への接触面積も少なくしかも突起部３によって指先にストレスを与えがちである。このような事情から特に微少な調整が求められる天秤ＢＳの高さ調整には支持脚Ｓの回転操作に熟練を要しているのが実情である。
【課題を解決するための手段】
【０００５】
本考案が提供する支持脚は、上記課題を解決するために被支持体に螺合するネジ部と、このネジ部と一体のコマ部と、ネジ部と反対側のコマ部に一体的に形成された設置面(脚体)とからなる支持脚において、コマ部にテーパ部を形成するとともに、このテーパ部の全周に凹凸部を形成したものである。したがってテーパ部の形成により指先のコマ部への接触面積が大きくなりストレスを生じることもなく正確にコマ部を微調整回転させることができる。
【考案の効果】
【０００６】
したがってたとえば天秤における支持脚として実施する場合には、天秤本体（筐体）の底面と支持脚のコマ部の上部との間に充分なクリアランスができることになり、ネジ部を完全に収納した状態でもコマ部に指先をアクセスできることになる。
【考案を実施するための最良の形態】
【０００７】
本考案の特徴は、第１にコマ部の厚さ（高さ）を大きく設定することであり、さらに第２の特徴は、このコマ部の上面側にテーパ部が形成されていること、および第３の特徴はこのテーパ部に均一な凹凸部を形成することである。したがって本考案としてはこれらの特徴をすべて備えた支持脚が最良の形態である。
【実施例１】
【０００８】
以下本考案による支持脚の構成ならびに作動を図示例にしたがって説明する。
図１は本考案による支持脚Ｓを示す図で（Ａ）図が支持脚Ｓを正面から見た図であり、（Ｂ）図は（Ａ）図の状態を上面から見た図である。これら図１（Ａ）（Ｂ）から明らかなとおり、コマ部１の上面には中央部にネジ部２が一体的に植設されているとともに、このネジ部２の周囲にテーパ部１Ｔが形成されている。そしてこのテーパ部１Ｔにおける全周に傘歯車形の歯形による凹凸部Ｇが形成されている。この凹凸部Ｇは全周均一に形成され、操作者がこの支持脚Ｓを操作する際には指先が確実に引掛けられる。なお、コマ部１の下方には設置面(脚体)４が一体的に形成されている。
【０００９】
図２はこの支持脚Ｓの縦断面を示す図で、ネジ部２がコマ部１の凹部に埋設され一体化されている。破線で示す部位が凹凸部Ｇを示し、１Ｔがテーパ部を示している。
図３は本考案による支持脚Ｓによって天秤ＢＳを支持した状態を示す図であるが、上述したように支持脚Ｓのテーパ部１Ｔと天秤ＢＳの底面との間に大きな間隔をつくることができ天秤ＢＳの高さや水平度の微調整を円滑かつ容易に行うことができる。４は設置面(脚体)である。本考案に関する支持脚Ｓは被支持体側にネジ部が螺合できるもので、被支持体には上記した天秤等の計量機器の他に分析機器や材料試験機等を床面に据付支持させる場合にも適用できるものである。
【００１０】
本考案の説明ならびに図示例は一実施例であってこれらの図面や説明に限定されるものではない。たとえばテーパ部１Ｔに形成する凹凸について図示例は傘歯車形の歯形を利用した例を示しているが、凹凸形が形成されたメッシュを張設することもでき、あるいは波状の凹凸を均一に形成してもよい。本考案はこれらすべての変形実施例を包含するものである。
なお図３において図１、図２および図５と同一の符号で示される部品は図１、図２および図５と同一の部品であり、それらの詳細な説明は省略する。
【００１１】
本考案が提供する支持脚の特徴は以上詳述したとおりであるが、上記ならびに図示例に限定されるものではない。テーパ部１Ｔの面は一般的には円錘面であるが、この円錘面を曲面化させた変形テーパ部とすることも可能であり、本考案はこれらすべて包含するものである。
【図面の簡単な説明】
【００１２】
【図１】本考案が提供する支持脚の構成を示す図である。
【図２】本考案が提供する支持脚の断面を示す図である。
【図３】本考案が提供する支持脚を天秤に適用した状態を示す斜視図である。
【図４】従来における支持脚の構成の概観を示す図である。
【図５】従来における支持脚を天秤に適用した構成を示す図である。
【符号の説明】
【００１３】
１  コマ部  
２  ネジ部
３  突起部
４  設置面
１Ｔ  テーパ部
Ｇ  凹凸部
ＢＳ  天秤
Ｓ  支持脚
【図１】
0003136361.tif 000003
【図２】
0003136361.tif 000004
【図３】
0003136361.tif 000005
【図４】
0003136361.tif 000006
【図５】
0003136361.tif 000007
(57)【要約】      （修正有）【課題】受台Ｂに衝撃が緩和され耐久性、安定性が高くなり、その受台Ｂに郵便物を収容することができる受台を提供する。【解決手段】郵便物を流通する開口部１を有する固定板Ａと郵便物を受ける受台Ｂから成り、前記固定板Ａの下方左右に設ける軸受３で支持される軸５に前記受台Ｂの下端に設ける管状部材６を嵌合させて両者を結合させた受台Ｂを形成し、前記受台下方の略中央部に縦長の開口部１０を形成し該開口部１０の裏面下端部でヒンジ結合する押出ピン７を設け、該押出ピン７は郵便物の投稿の際開口蓋の開に併せてその押出ピンの連動により受台Ｂを開き前記受台の開いたときの水平位置を保持するために受台Ｂと固定板Ａ間を紐８で取付け個所９に結合した受台Ｂで郵便物を受け取る。【選択図】図３
0003136309.tif 000002
【実用新案登録請求の範囲】
【請求項１】
郵便物を流通する開口部を有する固定版と郵便物を受ける受台とから成り、前記固定板の下方左右に設ける軸受けで支持される軸に、前記受台の下端に設ける管状部材を嵌合させて両者を結合させるとともに、前記受台下方の略中央部に縦長の開口部を形成し、該開口部の裏面下端部でヒンジ結合する押出ピンの先端部を該開口部の表面に張出するように設け、前期受け台の開いたときの水平位置を保持するために該受け台と前記固定版間を紐で結合し、該固定版を扉等に設けられる郵便投函口に固定して使用する郵便受け台。
【考案の詳細な説明】
【技術分野】
【０００１】  本考案は郵便物を受ける受台に関するものである。
【背景技術】
【０００２】  従来、郵便物を受け台で受けるものとして実用昭６１−１６５６８１号に示されているものが知られており、その受け台は郵便物の押し込みにより受け台が回転してその受け台の水平位置を保持するために支持固定部の片側に反転止を取り付け、その反転止によって受け台を水平保定するものである。
【考案の開示】
【考案が解決しようとする課題】
【０００３】  従来、受け台は郵便物の押込みにより受け台の開いたときの水平位置を保持するために、その受け台の下方片側に反転止を設けてその反転止によって水平保定させるものであるがしかしながらその受け台の受ける衝撃が強く耐久性が乏しいことと、うすい郵便物等の投函によって受け台を押し倒す事が難しい。本考案は、これらの問題を解決する受け台を提供することを課題としている。
【課題を解決しようとする手段】
【０００４】  郵便物を流通する開口部を有する固定版と郵便物を受ける受け台とから成り、前記固定板の下方左右に設ける軸受で支持される軸に、前記受け台の下端に設ける管状部材を嵌合させて両者を結合させるとともに前記受け台下方の略中央部に縦長の開口部を形成し、該開口部の裏面下端部でヒンジ結合する押出ピンの先端部を該開口部の表面に張出すように設け、前記押出ピンは郵便物の投函によって開口蓋の開きに併せて押出ピンの連動により受け台を開き、前記受け台の開いたときの水平位置を保持するために該受け台と前記固定板間を紐他ゴム等の弾性材を使用することにより衝撃が緩和され受け台の耐久性、安定性が高くなり、その水平保定になった受け台に郵便物を収容することができる。
【考案の効果】
【０００５】  本考案は従来の郵便物を受ける受け台は水平保定するときの受け台の衝撃が強く、耐久性が乏しいことを解決するために郵便物の投函によって開口蓋の開きに併せて押出ピンが受け台を開き、そのうけ台の開いた時の水平位置を保持する為に受け台と固定板間を紐で結合して受け台の衝撃を緩和し耐久性、安定性を高めて、郵便物を容易に収容することができる固有の効果がある。
【実施例】
【０００６】  以下、本考案の実施の態様について図面に示す実施例に従って説明する。
図１は固定板の正面図であって略四角い平板の下方に郵便物が流通する横長の開口部１を開口し、その開口部１の周囲を囲う開口枠２で囲って固定板Ａを形成している。
図２は受け台の裏面図であって、固定板Ａと略同じ巾の平版で形成する受け台Ｂの下方中央部に縦長の開口部１０を設けて、その開口部１０の下方左右に軸受１１で支持される軸１２でヒンジ結合する押出ピン７を施してある。
図３は固定板と受け台の組み合わせた本考案受け台の使用状態を示す斜視図であって、郵便物を流通する開口部１を有する固定板Ａと郵便物を受ける固定板Ａと略同じ巾の平板から成り、前記固定板Ａの下方左右に設ける軸受３で支持される軸５に前記平板の下端に設ける管状部材６を嵌合させて両者を結合させた受け台Ｂを形成し、受け台Ｂの下方の略中央部に縦長の開口部１０を形成し該開口部１０の裏面下端部でヒンジ結合する押出ピン７の先端部を該開口部１０の表面に張出すように設け、前期受け台の開いたときの水平位置を保持するために該受け台と前記固定板間を紐８で取付個所９に結合したものである。
図４は受け台起立状態の側面図であって、受け台Ｂの起立状態のとき押出ピン７が開口枠２の中に張出している状態で郵便物の投函によって開口蓋４の開きに併せて押出ピン７が受け台を開き水平保定に成り郵便物を収容して、開口蓋４の裏側に配線盤１３を設けその配線盤１３に押出ピン７の先端が接触して室内で郵便物の投函を知ることができる。
以上の実施例に関わらず、固定板、受け台の形状等は四角に限るものではなく、又固定板、受け台の材料或いは紐の素材、形状等は設計上自由に選択できるものである。
【図面の簡単な説明】
【０００７】
【図１】  固定板の実施例を示す正面図である。
【図２】  郵便受台の実施例における裏面図である。
【図３】  本考案の使用状態を示す斜視図である。
【図４】  郵便受台の起立状態の断面図である。
【符号の説明】
【０００８】Ａ    固定板
Ｂ    受台
１    開口部
２    開口枠
３    軸受
４    開口蓋
５    軸
６    管状部材
７    押出ピン
８    紐
９    紐の取付個所
１０  開口部
１１  軸受
１２  軸
１３  配線盤
【図１】
0003136309.tif 000003
【図２】
0003136309.tif 000004
【図３】
0003136309.tif 000005
【図４】
0003136309.tif 000006
(57)【要約】【課題】ズボンのずり落ち防止【解決方法】本体に固定したア−ム受軸の外側に溝の付いた回転ロ−ラを挿入し、そのロ−ラを固定する事により、ズボンの上下の重さの違いによる回転ずり落ちを防止する。ロ−ラは自由に回転するので、ズボンの取り付け、取り外しが簡単に出来る。又回転ロ−ラを少し移動させると溝が金具に噛み合い、本体に固定する。【選択図】図１
0003136308.tif 000002
【実用新案登録請求の範囲】
【請求項１】
背広の上着を掛ける本体（２）から、ズボンを吊るすア−ム（３）を固定する。そのア−ム（３）の外側に回転ロ−ラ（４）を取り付けて、ズボンを吊るした後、回転ロ−ラを固定出来る様に工夫したハンガ−である。
【考案の詳細な説明】
【考案の詳細な説明】
【技術分野】
【０００１】  この考案はズボンを吊るす時、溝のついた回転ローラ（４）がア−ムの受軸を中心に自由に回転出来る構造の為、容易にズボンを吊す事が出来る、又ズボンがずり落ちない様に固定するには回転ロ−ラをスライドさせて回転ロ−ラの溝をア−ムの固定金具に差し込む方法で簡単に固定するハンガ−である。
【従来の構造】
【０００２】  従来のハンガ−は、ズボンがずり落ちないようにするには、吊りア−ムを本体と固定した構造の為、ズボンの取り外しが不自由であったり、吊りア−ムが回転する構造の商品の場合、ズボンがずり落ちない様にする為には、補助具でズボンをはさみ込む構造の為、大変不便である。
【考案が解決しようとする課題】
【０００３】  ハンガ−にズボンを吊るす場合、吊りア−ムが固定されていると、ズボンを吊るす時や、取り出す時など慎重に取り扱いしなければならず、またズボンがずり落ちない様な構造の場合には、補助具があるので、特に手間の掛かる作業であった。
本考案のハンガ−はそれらの欠点を改良して、簡単にズボンを吊るしたり、又取り出せる様な構造の上、回転ロ−ラを固定する事により、ズボンがずり落ちるのを防止することの出来るハンガ−である。
【課題を解決するための手段】
【０００４】  ハンガ−本体（２）ら、固定ア−ム（３）を取り付け、その固定ア−ムの受軸の外側に、溝の付いた回転ロ−ラ（４）を挿入して自由に回転出来る構造とする。
回転ロ−ラの片側には数カ所、溝を作り回転ロ−ラを少し移動させると固定ア−ムの金具に溝が入り、回転ロ−ラは固定される。
その為、ズボンを吊したり、取り外す時は回転ロ−ラが回転して容易に作業が出来、少しロ−ラを移動させるとロ−ラが本体に固定されるのでズボンがずり落ちるのを防ぐ事が出来るのである。
【考案実施の形態】
【０００５】  背広のズボンをハンガ−に吊るすとき、回転ロ−ラを自由に回転出来る状態でズボンを吊るし、その後に少しロ−ラを移動させるとロ−ラが固定されるのでズボンがずり落ちず、取り外す時には、又少し移動させるとロ−ラが回転するので、簡単にズボンが取り出す事が出来る。
【実施例】
【０００６】本考案の実施例について説明する。
１）ハンガ−本体（２）から、固定ア−ム（３）を取り付ける
ロ）固定ア−ム（３）の外側に、溝のある回転ロ−ラ（４）を挿入する。
ハ）回転ロ−ラは固定ア−ムの受け軸を中心に自由に回転し、少し移動させると、回転ロ−ラの溝が固定ア−ムの金具に噛み合ってロ−ラは固定される。
【考案の効果】
【０００７】  従来、背広のズボンを吊るす場合、上下の重さの違いからズボンがハンガ−からずり落ちる事があり、又ずり落ちる事を防ぐ場合補助具でズボンを固定するため、取り扱いが不便であった。それらの欠点を取り除くために、改良したハンガ−である。
【部品の説明】
【０００８】  １  ハンガ−取り付け用フック。
２  上着を掛ける本体ハンガ−。
３  固定ア−ム。本体ハンガ−に固定する金具と受軸。
４  溝の付いた回転ロ−ラ−。固定ア−ムの受軸に挿入する。
【図面の簡単な説明】
【図１】  本考案の全体の正面図及び側面図である。
【図２】  固定ア−ムの正面図及び側面図である。
【図３】  回転ロ−ラの正面図及び側面図である。
【符号の説明】
１    吊フック。
２    本体ハンガ−。
３    固定ア−ムの金具。
４    固定ア−ムの受軸。
５    回転ロ−ラ。
６    回転ロ−ラの溝。
【図１】
0003136308.tif 000003
【図２】
0003136308.tif 000004
【図３】
0003136308.tif 000005
(57)【要約】      （修正有）【課題】時間の経過が分かる砂時計を提供する。【解決手段】砂時計内部を２重構造にし、はかり５と砂を受ける器４を組み合わせる。はかり５は落ちてきた砂の重さで針１が動く構造になっている。目盛２には時間が書いてあり、その重さの所に針が動くことで、大体の経過時間を知ることができる。【選択図】図１
0003136307.tif 000002
【実用新案登録請求の範囲】
【請求項１】
はかりと、砂時計を組み合わせ、落ちてきた砂の重さによって時間の経過を知ることができる砂時計。
【考案の詳細な説明】
【技術分野】
【０００１】本考案は、砂時計の通常の機能に、「はかり」の機能を組み合わせることによって、砂の重さで時間を分かるようにするものである。
【背景技術】
【０００２】従来、砂時計は、砂が落ちきった時の、決まった時間しか知ることができなかった。
【考案の開示】
【考案が解決しようとする課題】
【０００３】砂時計は、砂が落ちきった時の、決まった時間しか知ることができず、途中で見ても後どれぐらいか判断し難かった。【０００４】本考案は、このような従来の構造が有していた問題を解決しようとするものであり、砂時計と「はかり」を組み合わせて経過時間がわかる砂時計を提供することを目的とするものである。
【課題を解決するための手段】
【０００５】本考案は、上記目的を達成する為に、砂時計を２重構造にし、砂を受ける部分がはかりの皿になっており、砂の重さではかりの針が動くようにした。
目盛には、重さと時間の関係が記されており、砂の重さによって針の差した場所で、大体の時間の経過を知ることができる。
【考案の効果】
【０００６】上述したように、本考案は今までの砂時計とは異なり、途中経過時間も知ることができる為、活用の幅が広くなる。
【考案を実施するための最良の形態】
【０００７】本考案の実施の形態を図面に基づいて説明する。【０００８】図１において、砂の重さを量るには、はかり５と砂を受ける器４を組み合わせる。５は落ちてきた砂の重さで１の針が動く構造になっている。
目盛２には時間が書いてあり、その重さの所に針が動くことで、大体の経過時間を知ることができる。【０００９】図４において、６の突起部分は３の砂時計外側と４の砂を受ける器との隙間を補うものであり、砂が落ちる際、隙間に入ろうとする砂の軌道を変えるものである。逆に、砂を落とす際も、軌道を変える。
【図面の簡単な説明】
【００１１】
【図１】斜視図
【図２】正面図
【図３】側面図
【図４】正面図
【符号の説明】
【００１２】１  はかりの針
２  重さと時間の関係を記した目盛
３  砂時計外側
４  砂を受ける器
５  はかり
６  突起
７  砂
【図１】
0003136307.tif 000003
【図２】
0003136307.tif 000004
【図３】
0003136307.tif 000005
【図４】
0003136307.tif 000006
(57)【要約】      （修正有）【課題】食事内容の適正量を知ることができると共に、料理名、料理区分、エネルギー量についても理解することができる。【解決手段】カード１のコーナー側にスペードやハート、クローバ、ダイヤなどの記号と２から１０までの数字、Ａ、Ｊ、Ｑ、Ｋのアルファベットとが組み合わされて印刷された５２枚のカード１とジョーカー２枚の合計５４枚で構成されている。カード１の表面には、料理の写真２や料理区分３、食事の提供量の単位４、料理名５、エネルギー量６が印刷されており、裏面には食事バランスガイドのコマが印刷されており、ゲームをしながら楽しく食事のバランスについて知ることができ、食育活動に貢献できるものである。【選択図】図１
0003136306.tif 000002
【実用新案登録請求の範囲】
【請求項１】
長方形状の複数枚のカードに各々異なる料理の写真、料理区分、食事の提供量の単位、料理名、エネルギー量を印刷するとともに、コーナー側にカードの識別を印刷したことを特徴とする食育カード。
【請求項２】
前記カードの識別がトランプカードの識別であることを特徴とする食育カード。
【考案の詳細な説明】
【技術分野】
【０００１】
本考案は、カードとして通常のゲームに使用できるだけではなく、カードを選ぶことにより、個人に見合った適正量の食事内容を理解する食育カードに関するものである。
【背景技術】
【０００２】
従来のトランプは、ダイヤやハートなどの記号と数字を印刷したカードとキングやクイーンの絵札カードを組み合わせたものが一般的であり、また特殊なトランプとして夫々異なった自動車や花の写真を印刷したトランプもある。しかし従来のトランプは通常のゲームとしてしか使用できなかった。
【考案の開示】
【考案が解決しようとする課題】
【０００３】
本考案は、カードとしての通常のゲームに使用できるだけではなく、料理のエネルギーや料理区分、個人に見合った適正量などを知ることができる食育カードを提供するものである。
【課題を解決するための手段】
【０００４】
本考案は、長方形状の複数枚のカードに各々異なる料理の写真、料理区分、食事の提供量の単位、料理名、エネルギー量を印刷するとともに、コーナー側にカードの識別を印刷することにより課題を解決している。また、トランプとしても使用できるようにしてもよい。
【考案の効果】
【０００５】
本考案は、個人の食事内容の適正量を知り、これをゲームを通して確認することができる。また、トランプ１枚1枚が料理カードとなっているので、料理名、料理区分、食事の提供量の単位、エネルギー量を知ることができる。通常のカードゲームに使用できることだけでなく、個人に見合った食事内容の適正量などを理解することができる。
【０００６】
本考案は、健全な食生活を定着するために、平成１７年に厚生労働省と農林水産省が共同で作成した食事バランスガイドを、楽しく遊びながら理解できるものである。ゲームカードを料理カードとすることで、個人の適正量の食事内容を知ることができる。
【０００７】
本考案の食育カードは、小学校や中学校等への食育活動の際に教材として配布する。はじめに「1日に何をどれだけ食べたらいいのか」等食事内容について学んだ後、２〜３人のグループに分かれてカードを用いてゲームをすることにより、１日の食事内容の適正量について理解を促すことができる。10歳女子の場合、1日に必要なエネルギー量は、２０００キロカロリー程度であるが、これを偏りなく主食・副菜・主菜・牛乳乳製品・果物の5つの料理区分から必要な数（カード）を選択させることでバランスのよい食事内容と量が理解でき、「適量の食品や料理を選ぶ力」を身につけるための食育について楽しく体験できるものである。
【考案を実施するための最良の形態】
【０００８】
長方形状の複数枚のカードに各々異なる料理の写真、料理区分、食事の提供量の単位、料理名、エネルギー量を印刷するとともに、コーナー側にカードの識別を印刷する。
【実施例】
【０００９】
以下、図１に従って一実施例を説明する。１は長方形の紙で形成されているカードである。１のコーナー側にスペードやハート、クローバ、ダイヤなどの記号と２から１０までの数字、Ａ、Ｊ、Ｑ、Ｋのアルファベットとが組み合わされて印刷された５２枚のカード１とジョーカー２枚の合計５４枚で構成されている。
【００１０】
カード１の表面には、料理の写真２や料理区分３、食事の提供量の単位４、料理名５、エネルギー量６が印刷されており、裏面には例えば、同一の食事バランスガイドのコマが印刷されている。1日分又は1食分の食事内容の適正量について理解するとともに、また各料理区分を１枚ずつ計５枚を集めても良く、料理の組み合わせについての理解にも効果的である。
【図面の簡単な説明】
【００１１】
【図１】本考案の食育カードの一部の平面図である。
【符号の説明】
【００１２】
１  カード
２  料理の写真
３  料理区分
４  食事の提供量の単位
５  料理名
６  エネルギー量
【図１】
0003136306.tif 000003
【手続補正書】
【提出日】平成19年8月3日(2007.8.3)
【手続補正１】
【補正対象書類名】実用新案登録請求の範囲
【補正対象項目名】請求項２
【補正方法】変更
【補正の内容】
【請求項２】
請求項１に記載の食育カードは、トランプカードのマークと数字・アルファベットで識別されることを特徴とする食育カード。
(57)【要約】【課題】小さな子供や口や手の不自由な人、また一般の人もストローで飲み物を飲むときに、ストローがずれて移動したりする。ストローの場所を確認しながら飲むため、注意を要する。【解決手段】コップやグラスに、ストローサイズの切れ込みをいれておく。その切れ込みにストローを挟み入れておくことで、ストローの移動がなくなり、神経を集中しなくても安心して飲むことができる。【選択図】図２
0003136304.tif 000002
【実用新案登録請求の範囲】
【請求項１】
コップやグラスの淵に、ストローが動き移動しないよう、ストローサイズの切込みが入れてある。
【考案の詳細な説明】
【考案の開示】
【考案が解決しようとする課題】
【０００１】コップやグラスで、飲み物をストローで飲もうとすると、ストローが移動して飲めなかったり、ストローが口から外れないように注意をしなくてはならなかった。
【課題を解決するための手段】
【０００２】コップやグラスの淵に、ストローサイズの切込みを入れておく。そこにストローをはさんでおく。
【考案の効果】
【０００３】ストローが移動する心配もなく、他の作業をしながら飲み物を飲むこともできる。また、小さな子供や口や手に少し麻痺などがある不自由な人も、飲みやすくなる。
【図面の簡単な説明】
【図１】カットコップのみを示す図
【図２】ストローを差し挟んだ、カットコップの図
【図１】
0003136304.tif 000003
【図２】
0003136304.tif 000004
【手続補正書】
【提出日】平成19年7月23日(2007.7.23)
【手続補正１】
【補正対象書類名】実用新案登録請求の範囲
【補正対象項目名】全文
【補正方法】変更
【補正の内容】
【実用新案登録請求の範囲】
【請求項１】
コップやグラスの淵に、ストローが動き移動しないよう、ストローサイズの切込みが入れてあるカットコップ。
(57)【要約】      （修正有）【課題】パソコンにおいて、ハードディスクドライブを取付けて使用するときの衝撃や振動を緩和し、不快なノイズを防止すること。【解決手段】パソコン内に取付けが可能な構造を有する金属製取付け板とハードディスクドライブの表面の金属製ケースの間に超粘着性能と柔軟性をプラスし板状化したゲル材を挟み込み、固着させ、ハードディスクドライブ内の回転振動が発生してもゲル材にて振動を吸収し、ノイズも防止するものである。【選択図】図１
0003136305.tif 000002
【実用新案登録請求の範囲】
【請求項１】
ハードディスクドライブ（１）と取付け板（３）の間に超粘着性と柔軟性をプラスし板状化した板状化ゲル材（２）を挟み込んで押さえつけることにより、ハードディクドライブ（１）と取付け板（３）とを固着し、ハードディクドライブ（１）と取付け板（３）に外部からの衝撃が発生し、または、ハードディスクドライブ（１）内のプラッターの回転による振動が発生した場合、板状化ゲル材（２）の柔軟性により衝撃または振動を緩和する構造であって、振動を緩和することから静音性も確保できることを特徴とするハードデイスクドライブホルダー
【考案の詳細な説明】
【技術分野】
【０００１】  本考案はパソコン内にハードディスクドライブを取付けるハードディスクドライブホルダーに関する
【背景技術】
【０００２】  従来はハードディスクドライブ表面の金属製ケースとパソコン内に取付けることの可能な金属製の取付け板とを直接接触させ、ねじの力で固定していた。
【考案の開示】
【考案が解決しようとする課題】
【０００３】  金属同士の接触では、表面が堅く、ハードディスクドライブ内のプラッターの回転による振動を緩和しないので、外部からの衝撃も緩和しない、また、不快なノイズを生じやすい欠点がある。
【課題を解決するための手段】  本考案では、金属製取付け板（３）とハードディスクドライブ（１）の表面の金属部分に超粘着性と柔軟性をプラスして板状化した板状化ゲル材（２）を挟み込んで押さえつけ、ハードディクドライブ（１）と取付け板（３）とを板状化ゲル材の粘着性により固着する構造であって、ハードディクドライブ（１）内にてプラッターの回転振動が発生しても板状化ゲル材（２）の柔軟性により振動を吸収して緩和し、外部からの衝撃も緩和し、故障の原因を排除する効果があるものである。また、振動が緩和されるので不快なノイズも防止できるものである。
【考案の効果】
【０００５】  本考案のハードディスクドライブホルダーでは、ハードディスクドライブ（１）内のプラッターの回転による振動を吸収して緩和し、静音性を確保できる。また、パソコンに衝撃が加わっても、衝撃を緩和する効果がある。また、取付け板（３）とハードディスクドライブ（１）の間に超粘着性と柔軟性をプラスして板状化した板状化ゲル材（２）を挟み込んで押さえつける構造であって、ハードディスクドライブ（１）と取付け板（３）との固着強度は実用上十分である実施例がある。
【本案を実施するための最良の形態】
【０００６】  本考案のハードディスクドライブホルダーの実施例は図１に示すように、ハードディスクドライブ（１）とパソコン内に取付けることのできる構造を有する金属製取付け板（３）の間に板状化ゲル材（２）を挟み込んでいる。
このとき、ハードディスクドライブ（１）と取付け板（３）との固着強度は実用上十分である。
【図面の簡単な説明】
【０００７】
【図１】板状化ゲル材（２）をハードディスクドライブ（１）と取付け板（３）に挟み込んで押さえつけ固着した本考案のハードディスクドライブホルダーを示す。
【図２】板状化ゲル材（２）をハードディスクドライブ（１）の上に配置した状態を示す。
【符号の説明】
【０００８】    １    ハードディスクドライブ（１）
２    板状化ゲル材（２）
３    取付け板（３）
【図１】
0003136305.tif 000003
【図２】
0003136305.tif 000004
(57)【要約】      （修正有）【課題】自転車乗用者と歩行者が歩道ですれ違う際、また歩行者に道を譲ってもらった場合、自転車乗用者側から容易にお礼の言葉が云えない現状を打破する。【解決手段】「すいません、どうもありがとうございます」というように、人間の音声をもってマナー（礼儀）を代弁させる音声発生器を自転車に取り付ける。【選択図】図１
0003136297.tif 000002
【実用新案登録請求の範囲】
【請求項１】
自転車のグリップ付近に取り付けたリモコンスイッチの操作により、音声発生装置を介しマナー音声を発する装置。
【請求項２】
電池の自然放電を抑えるために、電池と音声発生装置間にタイマーを設置し電池の消耗を抑えることを特徴とした音声発生装置。
【考案の詳細な説明】
【技術分野】
【０００１】
本考案は、人間の音声をもって歩行者へのマナー（礼儀）音声を発する機能をもつ自転車用機器で、音声発生装置とリモコンスイッチの製造・取り付け技術に関している。
【背景技術】
【０００２】
従来の自転車にはベルやブザー音の通行報知器や警告器で歩行者に自転車乗用者の存在を知らせるだけのものである。
【考案の開示】
【考案が解決しようとする課題】
【０００３】
本考案が解決しようとする問題点は、自転車乗用者と歩行者が歩道ですれ違う際、また歩行者に道を譲ってもらった場合、自転車乗用者側から容易にお礼の言葉が云えない現状を打破することにある。
【課題を解決するための手段】
【０００４】
本考案において上記課題を解決する手段は「すいません、どうもありがとうございます」というように、人間の音声をもってマナー（礼儀）を代弁させる音声発生器を自転車に取り付けることである。
【考案の効果】
【０００５】
本考案の「自転車マナー音声発生器」を利用することで、歩道における歩行者側と自転車乗用者側が交差する際の人道的なトラブルを回避することができる。
【０００６】
本考案の効果は、自転車の歩道通行施行にともない多発が予想される歩行者と自転車乗用者間のトラブルを減少させることができる。
【０００７】
本考案の効果は、自転車はもちろんのこと、ベビーカー、車椅子など小型車両にも利用できる。
【考案を実施するための最良の形態】
【０００８】
本体を自転車のハンドルに取り付け、リモコンスイッチをハンドルのグリップ付近に取り付けることで容易に操作できるように実現した。
【実施例１】
【０００９】
図１および図２は、本考案の実施例を示したものである。図１は本考案の「自転車マナー音声発生器」を自転車に取り付けた場合の斜視図であり、本体をハンドルの任意の場所に取り付け、リモコンスイッチはハンドルのグリップ付近に取り付けることとする。図２は本体の内部図で、スピーカー、音声発生装置、バッテリー（乾電池）、タイマーで構成される。本体とリモコンスイッチはコードで接続する。
【００１０】
図３は本装置の節電を実現する手法である。公知例では電池の自然放電が発生するため現実的には効用に供しない。よって本考案では音声発生時にタイマーを介して音声発生装置を駆動し、音声発生装置を動作待機させることで消費電力を抑えるようにし、電池消耗を抑えることを特徴とする装置である。
【００１１】
音声は乗用者の性別、年齢によって「男の声」と「女の声」で「すいません」や「どうもありがとうございます」と録音し、本体の切り替えスイッチにて男女の区別を切り替えることができる。また、子供用には子供の音声で録音し、スイッチの切り替えをすることで同様に男女の区別ができる。
【図面の簡単な説明】
【００１２】
【図１】本考案「自転車マナー音声発生器」本体を自転車のハンドルに取り付けた場合の斜視図
【図２】本考案「自転車マナー音声発生器」の本体内部図
【図３】本考案「自転車マナー音声発生器」の節電方法を示した回路図
【符号の説明】
【００１３】
１    自転車ハンドル
２    本体
３    リモコンスイッチ
４    音声発生装置
５    バッテリー
６    スピーカー
７    切り替えスイッチ
８    タイマー
【図１】
0003136297.tif 000003
【図２】
0003136297.tif 000004
【図３】
0003136297.tif 000005
【手続補正書】
【提出日】平成19年8月1日(2007.8.1)
【手続補正１】
【補正対象書類名】実用新案登録請求の範囲
【補正対象項目名】請求項２
【補正方法】変更
【補正の内容】
【請求項２】
電池の自然放電を抑えるために、電池と音声発生装置間にタイマーを設置し電池の消耗を抑えることを特徴とした請求項１記載の音声発生装置。
(57)【要約】【課題】  上半身が乗せられ、楽な姿勢で半身浴が行える、準備の簡単な用具の提供。【解決手段】  空気枕様の浮き具を、頭部のほうを厚くし浮力を増し、腰部のほうを薄くし浮力を減少させ、上半身を乗せることで、比較的、自然で楽な姿勢で半身浴を行えるようにする。【選択図】図２
0003136291.tif 000002
【実用新案登録請求の範囲】
【請求項１】
半身浴をするさいに、空気枕様の浮き具に上半身を乗せ、安定させることで、容易かつ楽な姿勢で半身浴を行える用具。
【考案の詳細な説明】
【考案の詳細な説明】
【考案が解決しようとする課題】
【０００１】  従来、上半身を乗せ、楽な姿勢で半身浴が行え、かつ、準備の簡単な用具はなかった。
【課題を解決するための手段】
【０００２】  上記目的を達成するために、空気枕様の浮き具を、頭のほうを厚くし浮力を増し、腰部のほうを薄くし浮力を減少させ、上半身を乗せることで、比較的、自然で楽な姿勢を保てるようにした。
【考案の効果】
【０００３】  簡単な準備で、容易に、楽な姿勢で半身浴を行うことができる。
【図面の簡単な説明】
【図１】半身浴用枕の平面図である。
【図２】半身浴用枕の断面図である。
【符号の説明】
１  頭部
２  腰部
【図１】
0003136291.tif 000003
【図２】
0003136291.tif 000004
【手続補正書】
【提出日】平成19年6月21日(2007.6.21)
【手続補正１】
【補正対象書類名】実用新案登録請求の範囲
【補正対象項目名】全文
【補正方法】変更
【補正の内容】
【実用新案登録請求の範囲】
【請求項１】
半身欲をするさいに、上半身を乗せ、安定させることで、容易かつ楽な姿勢で半身浴を行える、頭部の方を厚くし浮力を増し、腰部にいくに従って薄くし浮力を減少させた、準備の簡単な空気枕様の浮き具。
(57)【要約】      （修正有）【課題】自動車のカーペットマットに付着した土砂やゴミが、マットから下の床面にこぼれ落ち難いマットの提供。【解決手段】マットの縁部をマット表面より０．５ｃｍ程度高い堤状の縁取りにし、マット上に付着した土砂や埃などが、床面にこぼれ落ち難くした。【選択図】図２
0003136299.tif 000002
【実用新案登録請求の範囲】
【請求項１】
自動車用カーペットマットの縁側部分をマット表面部より数ミリ高くして、マット表面に付着した砂ゴミがこぼれ落ち難くしたマット。
【考案の詳細な説明】
【考案の詳細な説明】
【考案が解決しようとする課題】
【０００１】乗車の際、履物裏に付いた土砂やゴミは、マット表面に付着し、さらに一部のゴミがマットから下へこぼれ落ちることで、下の自動車床へゴミが溜まる問題がある。
マット表面の清掃をする際も、ゴミがこぼれ落ちない様にと両側を持ち上げ、鍋底状態にしてマットを車外へ取り出す必要があった。
従って、マット上からゴミがこぼれ落ち難くする必要がある。
【課題を解決するための手段】
【０００２】マットの縁部分をマット表面より数ミリ高くして、マット上に落ちた土砂やゴミが自動車の床にこぼれ落ち難くした。
【考案の効果】
【０００３】マットの縁を高くすることで、ゴミこぼれの防波堤となり、マット下の床へ落ちて溜まる土砂やゴミが大幅に減少する。
自動車の床清掃の労力低減や車内美化の向上に大きな効果がある。
【図面の簡単な説明】
【図１】一般的な車のマットの形状を示した平面図である。
【図２】ゴミもれ防止縁高を示したマットの断面図である。
【符号の説明】
１  マット本体の概略図
２  マットの断面図
【図１】
0003136299.tif 000003
【図２】
0003136299.tif 000004